(57)【要約】      （修正有）【課題】取付部材の取付けを開始してから所定の位置に取付けられた状態となるまでの過程において、光学部材の欠けや割れの発生を低減させる光走査装置を提供する。【解決手段】ミラー支持部６３１に支持された反射ミラー２０を押圧する第一押圧部７０５を備える押さえ部材であって、係合部７０３に係合する係合部７３３を有し、係合部７０３と係合部７３３とが係合した第一の状態において第一押圧部７０５が反射ミラー２０を押圧することによって反射ミラー２０をミラー支持部６３１に付勢させる押さえ部材を備え、押さえ部材は、係合部７０３と係合部７３３とが係合していない第二の状態から第一の状態に遷移する過程において、押さえ部材が係合部７０３に当接し、係合部７０３を支点として回動する。【選択図】図５
2015187628.tif 000002
【特許請求の範囲】
【請求項１】
光ビームを出射する光源と、
前記光源から出射された光ビームが感光体上を走査するように前記光ビームを偏向する偏向器と、
前記偏向器により偏向された光ビームを前記感光体に導く光学部材と、
前記光源、前記偏向器及び前記光学部材を収納する筐体であって、筐体側係合部と前記光学部材を支持する支持部とを有する筐体と、
前記支持部に支持された前記光学部材を押圧する押圧部を備える取付部材であって、前記筐体側係合部に係合する取付部材側係合部を有し、前記筐体側係合部と前記取付部材側係合部とが係合した第一の状態において前記押圧部が前記光学部材を押圧することによって前記光学部材を前記支持部に付勢させる取付部材と、
を備え、
前記取付部材は、前記筐体側係合部と前記取付部材側係合部とが係合していない第二の状態から前記第一の状態に遷移する過程において、前記取付部材が前記筐体側係合部に当接し、前記筐体側係合部を支点として回動することを特徴とする光走査装置。
【請求項２】
前記取付部材は、前記取付部材側係合部が形成された板部と、前記押圧部を第一の押圧部として有し、前記板部の一端を含んで前記板部の中央部から折り曲げられた第一の腕部と、第二の押圧部を有し、前記板部の他端において前記板部から前記第一の腕部とは反対側に折り曲げられた第二の腕部と、を有し、
前記第一の腕部及び前記第二の腕部は、前記光学部材の長手方向において、前記第一の腕部と前記第二の腕部との間に、前記筐体側係合部が位置するように形成されることを特徴とする請求項１に記載の光走査装置。
【請求項３】
前記支持部は、前記光学部材の第一の面に接触する第一の接触部と、前記光学部材の第二の面に接触する第二の接触部と、を有し、前記第一の接触部と前記第二の接触部とによって前記光学部材を支持し、
前記取付部材は、第三の押圧部を有し前記板部の一端から折り曲げられた第三の腕部を有し、
前記第一の押圧部と前記第三の押圧部とによって前記光学部材を押圧することによって前記光学部材を前記第一の接触部及び前記第二の接触部とに付勢させることを特徴とする請求項２に記載の光走査装置。
【請求項４】
前記第一の押圧部は前記第一の面の裏面を押圧し、
前記光学部材は、前記第一の押圧部によって前記第一の面の裏面が押圧されることによって前記第一の接触部に付勢され、
前記第三の押圧部は前記第二の面の裏面を押圧し、
前記光学部材は、前記第三の押圧部によって前記第二の面の裏面が押圧されることによって前記第二の接触部に付勢されることを特徴とする請求項３に記載の光走査装置。
【請求項５】
前記筐体側係合部を有し、前記取付部材を支持する取付部材支持部を備え、
前記第二の状態から前記第一の状態に遷移する過程において、前記第二の押圧部が前記取付部材支持部を押圧することを特徴とする請求項１乃至４のいずれか１項に記載の光走査装置。
【請求項６】
前記取付部材支持部は、前記光学部材の長手方向において、前記第二の押圧部により押圧される面の両側部にリブ部を有し、
前記取付部材は、前記第二の腕部が前記両側部のリブ部の間に挿入されることにより、前記長手方向の位置が決定されることを特徴とする請求項５に記載の光走査装置。
【請求項７】
前記筐体側係合部は、前記支持部に支持された前記光学部材とによって間隙を形成し、
前記取付部材は、前記間隙に挿入されることによって前記光学部材の長手方向に直交する方向の位置が決定されることを特徴とする請求項１乃至６のいずれか１項に記載の光走査装置。
【請求項８】
前記取付部材は、前記取付部材側係合部が前記筐体側係合部に係合することにより、前記筐体の底面に対して垂直な方向の位置が決定されることを特徴とする請求項１乃至７のいずれか１項に記載の光走査装置。
【請求項９】
前記光学部材は、前記光ビームを反射するガラス製の反射ミラーであることを特徴とする請求項１乃至８のいずれか１項に記載の光走査装置。
【請求項１０】
前記筐体は、樹脂製であることを特徴とする請求項１乃至９のいずれか１項に記載の光走査装置。
【請求項１１】
感光体と、
前記感光体に光ビームを照射し静電潜像を形成する請求項１乃至１０のいずれか１項に記載の光走査装置と、
前記光走査装置により形成された静電潜像を現像しトナー像を形成する現像手段と、
前記現像手段により形成されたトナー像を記録媒体に転写する転写手段と、
を備えることを特徴とする画像形成装置。
【発明の詳細な説明】
【技術分野】
【０００１】
本発明は、光走査装置及びその光走査装置を備える画像形成装置に関する。
【背景技術】
【０００２】
電子写真方式を用いた画像形成装置は、光走査装置から出射される光ビームで感光体（以下、便宜的に感光ドラムとする。）を露光することにより、感光ドラム上に潜像を形成し、形成された潜像をトナーによって現像することでトナー像として顕像化する。感光ドラム上に形成されたトナー像は記録材に転写され、定着器の熱や圧力により記録材に定着され、画像形成が完了した記録材が装置外に排出される。
【０００３】
光走査装置は、光源、光源から出射された光ビームを偏向するために回転駆動される回転多面鏡、回転多面鏡によって偏向された光ビームを感光ドラムに導くレンズやミラー等が光学箱（筐体）に収容、保持された構成となっている。図９（ａ）は、従来、一般的に用いられている光学部品の保持構成を示した概略構成図で、押さえ部材としての板バネ１７０２ａ中央部で切断した際の断面図である。光学部品である反射ミラー２０は、光学箱２０１に対して弾性変形を可能とする板バネ１７０２ａによる加圧力で保持固定されている。このような構成では、第一押圧部１７０５ａが反射ミラー２０の強度が低いミラーエッジ部７０８を押圧することにより、ミラーエッジ部７０８に削れ、欠け、割れなどが発生する。ミラーが削れた結果生じる粉や細かい破片がミラーに付着すると、ミラーの反射率が低下してしまい、結果として感光ドラム上に導かれる光ビームの光量が設計上の所望の光量よりも低くなってしまう。
【０００４】
このような板バネ１７０２ａによる反射ミラー２０の削れ、欠け、割れなどを防ぐ対策として、組立治具で把持部を撓ませて板バネの反射ミラー押圧部を圧縮させたまま所定の位置まで挿入する構成が提案されている（例えば、特許文献１参照）。この構成では、把持部を撓ませた際の反力は組立治具が受けているので、板バネ取付け時に板バネが反射ミラー２０に接触しないあるいは接触しても押圧力が弱い。このため、反射ミラーのミラーエッジ部に削れ、欠け、割れを生じさせるような力（以下、ストレスともいう）を与えることなく、取付けることが可能となっている。また、例えば、図９（ｂ）に示すように、板バネ１７０２ｂの第一押圧部１７０５ｂの押圧箇所を、ミラーエッジ部７０８ではなく、ミラー平面７１０に変更した構成が提案されている。
【先行技術文献】
【特許文献】
【０００５】
【特許文献１】特開２０１０−２３７５３７号公報
【発明の概要】
【発明が解決しようとする課題】
【０００６】
図９（ｂ）に示す構成の場合、板バネ１７０２ｂが取付けられた状態での、反射ミラー２０のミラーエッジ部７０８へのストレスは、図９（ａ）に比べて改善されている。しかし、図９（ｃ）に示すように、板バネ１７０２ｂを挿入するため下方向に押し付ける際、ミラー反射面７０６を押圧する第三押圧部７０４の反力により、図９（ｃ）中矢印７１１の方向に板バネ１７０２ｂが押し付けられる。そして、係合部７０３により板バネ１７０２ｂは図９（ｃ）に示すように大きく傾く。その結果、板バネ１７０２ｂはミラーエッジ部７０８に接触してしまう。このため、ミラーエッジ部７０８の削れ、欠け、割れを防ぐためには、板バネ１７０２ｂの取付けを開始してから終了するまでの過程において、板バネ１７０２ｂとミラーエッジ部７０８が、全く接触しないようにすることが望ましい。
【０００７】
本発明は、このような状況のもとでなされたもので、取付部材の取付けを開始してから所定の位置に取付けられた状態となるまでの過程において、光学部材の欠けや割れの発生を低減させることを目的としている。
【課題を解決するための手段】
【０００８】
前述の課題を解決するために、本発明は、以下の構成を備える。
【０００９】
（１）光ビームを出射する光源と、前記光源から出射された光ビームが感光体上を走査するように前記光ビームを偏向する偏向器と、前記偏向器により偏向された光ビームを前記感光体に導く光学部材と、前記光源、前記偏向器及び前記光学部材を収納する筐体であって、筐体側係合部と前記光学部材を支持する支持部とを有する筐体と、前記支持部に支持された前記光学部材を押圧する押圧部を備える取付部材であって、前記筐体側係合部に係合する取付部材側係合部を有し、前記筐体側係合部と前記取付部材側係合部とが係合した第一の状態において前記押圧部が前記光学部材を押圧することによって前記光学部材を前記支持部に付勢させる取付部材と、を備え、前記取付部材は、前記筐体側係合部と前記取付部材側係合部とが係合していない第二の状態から前記第一の状態に遷移する過程において、前記取付部材が前記筐体側係合部に当接し、前記筐体側係合部を支点として回動することを特徴とする光走査装置。
【００１０】
（２）感光体と、前記感光体に光ビームを照射し静電潜像を形成する前記（１）に記載の光走査装置と、前記光走査装置により形成された静電潜像を現像しトナー像を形成する現像手段と、前記現像手段により形成されたトナー像を記録媒体に転写する転写手段と、
を備えることを特徴とする画像形成装置。
【発明の効果】
【００１１】
本発明によれば、取付部材の取付けを開始してから所定の位置に取付けられた状態となるまでの過程において、光学部材の欠けや割れの発生を低減させることができる。
【図面の簡単な説明】
【００１２】
【図１】実施例の画像形成装置の構成を示す図
【図２】実施例の光走査装置の構成を示す図
【図３】実施例の押さえ部材の構成を示す図
【図４】実施例の押さえ部材の構成を示す図
【図５】実施例の光学部品を押圧する押さえ部材を示す図
【図６】実施例の押さえ部材の各部の位置関係を示す図
【図７】実施例の押さえ部材を光学箱に取付ける様子を示す図、押さえ部材の回動を説明する図
【図８】実施例の押さえ部材の回動により光学部品から離れた様子を示す図
【図９】従来例の板バネを示す図、板バネを光学箱に取付ける様子を示す図
【発明を実施するための形態】
【００１３】
以下、図面に沿って本発明の実施例を説明する。なお、以下の説明において、後述する偏向器である回転多面鏡の回転軸方向をＺ軸方向、光ビームの走査方向である主走査方向又は反射ミラーの長手方向をＸ軸方向、Ｘ軸及びＺ軸に垂直な方向をＹ軸方向とする。
【００１４】
［従来の板バネの取付け］
後述する実施例との比較のために、従来の板バネ及び板バネの取付けについて説明する。図９（ａ）に示すように、光学部品である反射ミラー２０は、筐体である樹脂製の光学箱２０１に対して弾性変形を可能とする板バネ１７０２ａによる加圧力で保持固定されている。板バネ１７０２ａは作業性及び組立コストの観点から、ビスによる固定ではなく、光学箱２０１に設けられた係合部７０３に板バネ１７０２ａがかかるように構成されている。そして、反射ミラー２０を押圧した際の反発力の一部を係合部７０３近傍の光学箱２０１が受けることで、板バネ１７０２ａは一定の位置を保っている。板バネ１７０２ａは、第三押圧部７０４と第一押圧部１７０５ａを有している。第三押圧部７０４は、ミラー反射面７０６を光学箱２０１に設けられた第一ミラー座面７０７に向けて加圧している。一方、第一押圧部１７０５ａは、ミラーエッジ部７０８を、第一ミラー座面７０７及び第二ミラー座面７０９に押し付ける方向に加圧している。反射ミラー２０に対し、第三押圧部７０４と第一押圧部１７０５ａの２方向から押圧することにより、反射ミラー２０の防振性能が向上するだけでなく、落下や振動などの衝撃が加わった際の脱落対策も兼ねている。
【００１５】
しかし、この構成においては次のような課題がある。即ち、第一押圧部１７０５ａが反射ミラー２０の強度が低いミラーエッジ部７０８を押圧することにより、ミラーエッジ部７０８に欠けや割れが発生することがある。特に反射ミラー２０やレンズなどの光学部品は、ガラス製となっている製品も多く、その場合、他部品とのわずかな接触などでミラーエッジ部７０８に欠けや割れが発生し易い状況にある。そして、第一押圧部１７０５ａがミラーエッジ部７０８に接触し、欠けや割れが発生することによってミラーエッジ部７０８の一部が破片となり、光学箱２０１内に落下して、光ビームの光路を妨げる潜在的な要因となる。特に、光走査装置内部の光学部品にミラーエッジ部７０８の破片を含む塵埃等の汚れが付着した場合、その塵埃が光線を遮ることで、感光体表面への光量が低下し、所望の画像を形成することができなくなる。部分的に塵挨が付着した場合、印刷物にスジ状の画像を発生させることがある。
【００１６】
板バネが所定の位置に取付けられた際に、板バネが反射ミラーのミラーエッジ部に接触しない構成として、図９（ｂ）に示す構成が提案されている。図９（ｂ）の構成では、図９（ａ）の第一押圧部１７０５ａに相当する第一押圧部１７０５ｂの押圧箇所を、ミラーエッジ部７０８ではなく、ミラー平面７１０に変更している。図９（ｂ）の構成では、板バネ１７０２ｂが取付けられた状態では、板バネ１７０２ｂがミラーエッジ部７０８に接触することはない。しかし、図９（ｃ）で上述したように、板バネ１７０２ｂの取付けを開始してから取付けが終了するまでの過程において、板バネ１７０２ｂとミラーエッジ部７０８が接触してしまう。
【実施例】
【００１７】
［画像形成装置の構成］
図１は、実施例１の電子写真方式の画像形成装置１００の概略断面図である。図１に示す画像形成装置１００は、イエロー（Ｙ）、マゼンタ（Ｍ）、シアン（Ｃ）、ブラック（Ｂｋ）の各色のトナー像を形成する４基の画像形成部１０１Ｙ、１０１Ｍ、１０１Ｃ、１０１Ｂｋを備える。以降、各色を表す符号Ｙ、Ｍ、Ｃ、Ｂｋは、必要な場合を除き省略する。画像形成部１０１は、それぞれ感光体である感光ドラム１０２を備える。感光ドラム１０２は、水平方向（Ｙ軸方向）において異なる位置に配置されている。また、各画像形成部は、感光ドラム１０２を帯電する帯電装置１０３、感光ドラム上の静電潜像をトナーにより現像する現像装置１０４を備える。更に、各画像形成部１０１は、感光ドラム上の残留したトナーを感光ドラム上（感光体上）から除去するクリーニング装置１１１を備える。
【００１８】
各画像形成部１０１は、上述した感光ドラム１０２、帯電装置１０３、現像装置１０４、クリーニング装置１１１それぞれを一体化したプロセスカートリッジを構成する。このプロセスカートリッジは画像形成装置１００に対して着脱可能な交換ユニットである。以下では、画像形成部１０１Ｙ、１０１Ｍ、１０１Ｃ、１０１Ｂｋをプロセスカートリッジ１０１Ｙ、１０１Ｍ、１０１Ｃ、１０１Ｂｋと称する。
【００１９】
画像形成装置１００の本体には、光走査装置２００、転写ローラ１０５Ｙ、１０５Ｍ、１０５Ｃ、１０５Ｂｋ、中間転写ベルト１０６、給紙部１０９、排紙部１１０、転写ローラ１０７、定着装置１０８が備えられている。中間転写ベルト１０６は、図中、矢印方向（反時計回り方向）に回転する。光走査装置２００は、各感光ドラム１０２に対して重力方向下側（−Ｚ軸方向）に配置されている。なお、光走査装置２００は、重力方向上側（＋Ｚ軸方向）から感光ドラム１０２を露光するように配置されてもよい。
【００２０】
次に、画像形成プロセスについて説明する。光走査装置２００は、帯電装置１０３Ｙ、１０３Ｍ、１０３Ｃ、１０３Ｂｋによってそれぞれ帯電された感光ドラム１０２Ｙ、１０２Ｍ、１０２Ｃ、１０２Ｂｋを露光する光ビームＬＹ、ＬＭ、ＬＣ、ＬＢｋを出射する。光ビームが照射される（露光される）ことで感光ドラム１０２Ｙ、１０２Ｍ、１０２Ｃ、１０２Ｂｋ上には静電潜像が形成される。
【００２１】
現像装置１０４Ｙは、感光ドラム１０２Ｙ上に形成された静電潜像をイエローのトナーによって現像する。現像装置１０４Ｍは、感光ドラム１０２Ｍ上に形成された静電潜像をマゼンタのトナーによって現像する。現像装置１０４Ｃは、感光ドラム１０２Ｃ上に形成された静電潜像をシアンのトナーによって現像する。現像装置１０４Ｂｋは、感光ドラム１０２Ｂｋ上に形成された静電潜像をブラックのトナーによって現像する。
【００２２】
感光ドラム１０２Ｙ上に形成されたイエローのトナー像は、転写部Ｔｙにおいて転写ローラ１０５Ｙによって中間転写体である中間転写ベルト１０６に転写される。クリーニング装置１１１Ｙは、感光ドラム１０２Ｙの回転方向の転写部Ｔｙと帯電装置１０３Ｙの帯電部との間において、中間転写ベルト１０６に転写されずに感光ドラム１０２Ｙ上に残留したトナーを回収する。感光ドラム１０２Ｍ上に形成されたマゼンタのトナー像は、転写部Ｔｍにおいて転写ローラ１０５Ｍによって中間転写ベルト１０６に転写される。クリーニング装置１１１Ｍは、感光ドラム１０２Ｍの回転方向の転写部Ｔｍと帯電装置１０３Ｍの帯電部との間において、中間転写ベルト１０６に転写されずに感光ドラム１０２Ｍ上に残留したトナーを回収する。
【００２３】
感光ドラム１０２Ｃ上に形成されたシアンのトナー像は、転写部Ｔｃにおいて転写ローラ１０５Ｃによって中間転写ベルト１０６に転写される。クリーニング装置１１１Ｃは、感光ドラム１０２Ｃの回転方向の転写部Ｔｃと帯電装置１０３Ｃの帯電部との間において、中間転写ベルト１０６に転写されずに感光ドラム１０２Ｃ上に残留したトナーを回収する。感光ドラム１０２Ｂｋ上に形成されたブラックのトナー像は、転写部ＴＢｋにおいて転写ローラ１０５Ｂｋによって中間転写ベルト１０６に転写される。クリーニング装置１１１Ｂｋは、感光ドラム１０２Ｂｋの回転方向の転写部ＴＢｋと帯電装置１０３Ｂｋの帯電部との間において、中間転写ベルト１０６に転写されずに感光ドラム１０２Ｂｋ上に残留したトナーを回収する。本実施例のクリーニング装置１１１は、感光ドラム１０２に当接するブレードを備え、このブレードによって感光ドラム上に残留したトナーを掻き取ることによって、残留トナーを回収する。
【００２４】
中間転写ベルト１０６上に転写されたトナー像は、中間転写ベルト１０６の矢印方向への回転に伴い、転写部Ｔ２へと搬送される。このとき、給紙部１０９内の記録紙が給紙ローラ１２０により１枚ずつ給紙され、搬送ローラ１２１により転写部Ｔ２へと搬送される。給紙ローラ１２０によって搬送される記録紙は、搬送ローラ１２１によって記録紙の位置と転写部Ｔ２への送り出しのタイミングが調整され、中間転写ベルト１０６上のトナー像と接触するように転写部Ｔ２に供給される。即ち、給紙ローラ１２０及び搬送ローラ１２１は、給紙部１０９から排紙部１１０に向けて記録紙を搬送する搬送手段として機能する。更に、記録紙が給紙部１０９から排紙部１１０に搬送される経路が搬送経路に相当する。
【００２５】
中間転写ベルト１０６上に転写されたトナー像と、搬送ローラ１２１から搬送された記録紙が転写部Ｔ２に搬送されると、転写ローラ１０７に転写電圧が印加され、中間転写ベルト１０６上のトナー像が記録紙に転写される。転写部Ｔ２においてトナー像が転写された記録紙は、定着装置１０８へと搬送される。定着装置１０８は、記録紙を搬送しながら、記録材を加熱することによって、トナー像を記録紙に定着させる。その後、トナー像を定着した記録材は排紙部１１０に排紙される。即ち、画像形成部１０１Ｙ、１０１Ｍ、１０１Ｃ、１０１Ｂｋと中間転写ベルト１０６と転写ローラ１０７は、Ｚ軸方向において給紙部１０９と排紙部１１０との間に配置される画像形成手段として機能する。
【００２６】
画像形成装置１００は、中間転写ベルト１０６の回転方向に関し、転写部Ｔ２と転写部Ｔｙとの間に、クリーニング装置１１２を備える。クリーニング装置１１２は、中間転写ベルト１０６に当接するブレードを備え、ブレードによって中間転写ベルト１０６上に残留したトナーを掻き取る。これにより、クリーニング装置１１２は、転写部Ｔ２において記録紙に転写されずに中間転写ベルト１０６上に残留したトナーを清掃する。
【００２７】
なお、以下で説明する構成に関して、上述した画像形成装置１００は、感光ドラムを１つ有するモノクロの画像形成装置や、複数の感光ドラム上に形成されたトナー像を直接記録媒体に転写する画像形成装置であってもよい。
【００２８】
［光走査装置の構成］
次に、光走査装置２００について説明する。図２（ａ）は、光走査装置２００の構成を示す斜視図であり、図２（ｂ）は光走査装置２００の断面図である。図２（ａ）に示すように、光走査装置２００の光学箱２０１の外壁には、光源ユニット２０２Ｙ、２０２Ｍ、２０２Ｃ、２０２Ｂｋが取付けられている。光源ユニット２０２Ｙは、感光ドラム１０２Ｙを露光する光ビームＬＹを出射し、光源ユニット２０２Ｍは、感光ドラム１０２Ｍを露光する光ビームＬＭを出射する。また、光源ユニット２０２Ｃは、感光ドラム１０２Ｃを露光する光ビームＬＣを出射し、光源ユニット２０２Ｂｋは、感光ドラム１０２Ｂｋを露光する光ビームＬＢｋを出射する。光源ユニット２０２Ｙ、２０２Ｍ、２０２Ｃ、２０２Ｂｋは互いに近接して配置されている。
【００２９】
ここで、回転多面鏡２０３の回転軸を法線として回転多面鏡２０３を横切る平面を仮想平面と定義する。光源ユニット２０２Ｙから出射される光ビームＬＹ及び光源ユニット２０２Ｂｋから出射される光ビームＬＢｋは、仮想平面に対して重力方向上側（＋Ｚ軸方向）から斜めに入射する光路をとって回転多面鏡２０３の反射面に入射する。一方、光源ユニット２０２Ｃから出射される光ビームＬＣ及び光源ユニット２０２Ｍから出射される光ビームＬＭは、上述した仮想平面に対して重力方向下側（−Ｚ軸方向）から斜めに入射する光路をとって回転多面鏡２０３の反射面に入射する。図２（ａ）に示すように、光学箱２０１の中央部には４つの反射面を備える回転多面鏡２０３が設置されている。画像形成時、回転多面鏡２０３は、図２（ａ）の破線で示す回転軸をＲ１方向に回転する。
【００３０】
光源ユニット２０２Ｙから出射された光ビームＬＹは、回転多面鏡２０３の反射面に入射する。光ビームＬＹは、回転多面鏡２０３の反射面によって、図２（ａ）に示すＡ側に偏向（反射）される。光源ユニット２０２Ｍから出射された光ビームＬＭは、光ビームＬＹが入射する回転多面鏡２０３の反射面と同一の反射面に入射する。光ビームＬＭは、回転多面鏡２０３の反射面によって、光ビームＬＹと同一側（Ａ側）に偏向される。ここで、Ａ側とは第一の方向に相当する。
【００３１】
一方、光源ユニット２０２Ｂｋから出射された光ビームＬＢｋは、光ビームＬＹ及びＬＭが入射する反射面とは異なる反射面に入射する。光ビームＬＢｋは、回転多面鏡２０３の反射面によって、図２（ａ）に示すＢ側に偏向される。光源ユニット２０２Ｃから出射された光ビームＬＣは、光ビームＬＢｋが入射する回転多面鏡２０３の反射面と同一の反射面に入射する。光ビームＬＣは、回転多面鏡２０３の反射面によって光ビームＬＢｋと同一側（Ｂ側）に偏向される。ここで、Ｂ側とは第二の方向に相当する。
【００３２】
回転多面鏡２０３によって偏向された光ビームＬＹ及びＬＭは、＋Ｘ方向に移動する光ビームとなる。即ち、回転する回転多面鏡２０３によって偏向されることによって、光ビームＬＹは＋Ｘ方向に感光ドラム１０２Ｙを走査する光ビームとなり、光ビームＬＭは感光ドラム１０２Ｍを＋Ｘ方向に走査する光ビームとなる。
【００３３】
一方、回転多面鏡２０３によって偏向された光ビームＬＢｋ及びＬＣは、−Ｘ方向に移動する光ビームとなる。即ち、回転する回転多面鏡２０３によって偏向されることによって、光ビームＬＢｋは−Ｘ方向に感光ドラム１０２Ｂｋを走査する光ビームとなり、光ビームＬＣは感光ドラム１０２Ｃを−Ｘ方向に走査する光ビームとなる。即ち、光走査装置２００は、回転多面鏡２０３によって光源ユニット２０２Ｙ、２０２Ｍ、２０２Ｃ、２０２Ｂｋから出射された光ビームをＡ側とＢ側とにそれぞれ偏向する。そして、光走査装置２００は、回転多面鏡２０３により光ビームをＡ側、Ｂ側に偏向することによって、感光ドラム１０２Ｙ、１０２Ｍ、１０２Ｃ、１０２Ｂｋを露光する対向走査型の光走査装置である。
【００３４】
続いて、図２（ｂ）を用いて回転多面鏡２０３によって偏向された光ビームＬＹ、ＬＭ、ＬＣ、ＬＢｋの光路について説明する。図２（ｂ）に示すように、光学箱２０１の内部には、回転多面鏡２０３、レンズ２０６、２０７、２０８、２０９、２１０、２１１、反射ミラー２１２、２１３、２１４、２１５、２１６、２１７等の光学部材が収納されている。また、回転多面鏡２０３、レンズ２０６、２０７、２０８、２０９、２１０、２１１、反射ミラー２１２、２１３、２１４、２１５、２１６、２１７等の光学部材は、光学箱２０１の底部（底面）に設置される。光学箱２０１の上部の開放面である開口には、更に、回転多面鏡２０３、上述した各レンズ、及び各反射ミラーを防塵するためのカバー２１８が取付けられる。
【００３５】
回転多面鏡２０３によって偏向された光ビームＬＹは、レンズ２０６及びレンズ２０７を通過した後、反射ミラー２１２に入射する。反射ミラー２１２は、入射した光ビームＬＹを感光ドラム１０２Ｙに向かって反射する。カバー２１８には、反射ミラー２１２が反射した光ビームＬＹを通過させる開口２１９が形成されている。開口２１９は、光ビームＬＹを通過させる透明な透明窓である防塵窓２２３によって閉塞されている。防塵窓２２３を通過した光ビームＬＹは、感光ドラム１０２Ｙ上に結像する。
【００３６】
回転多面鏡２０３によって偏向された光ビームＬＭは、レンズ２０６を通過した後、反射ミラー２１３に入射する。反射ミラー２１３は、入射した光ビームＬＭを反射ミラー２１４に向かって反射する。反射ミラー２１３によって反射された光ビームＬＭは、レンズ２０８を通過して反射ミラー２１４に入射する。反射ミラー２１４は、入射した光ビームＬＭを感光ドラム１０２Ｍに向かって反射する。カバー２１８には、反射ミラー２１４が反射した光ビームＬＭを通過させる開口２２０が形成されている。その開口２２０は、光ビームＬＭを通過させる透明の防塵窓２２４によって閉塞されている。防塵窓２２４を通過した光ビームＬＭは、感光ドラム１０２Ｍに結像する。
【００３７】
回転多面鏡２０３によって偏向された光ビームＬＢｋは、レンズ２０９及びレンズ２１０を通過した後、反射ミラー２１５に入射する。反射ミラー２１５は、入射した光ビームＬＢｋを感光ドラム１０２Ｂｋに向かって反射する。カバー２１８には、反射ミラー２１５が反射した光ビームＬＢｋを通過させる開口２２２が形成されている。開口２２２は、光ビームＬＢｋを通過させる透明の防塵窓２２６によって閉塞されている。防塵窓２２６を通過した光ビームＬＢｋは、感光ドラム１０２Ｂｋ上に結像する。
【００３８】
回転多面鏡２０３によって偏向された光ビームＬＣは、レンズ２０９を通過した後、反射ミラー２１６に入射する。反射ミラー２１６は、入射した光ビームＬＣを反射ミラー２１７に向かって反射する。反射ミラー２１６によって反射された光ビームＬＣは、レンズ２１１を通過して反射ミラー２１７に入射する。反射ミラー２１７は、入射した光ビームＬＣを感光ドラム１０２Ｃに向かって反射する。カバー２１８には、反射ミラー２１７が反射した光ビームＬＣを通過させる開口２２１が形成されている。開口２２１は、光ビームＬＣを通過させる透明の防塵窓２２５によって閉塞されている。防塵窓２２５を通過した光ビームＬＣは、感光ドラム１０２Ｃ上に結像する。
【００３９】
［ミラーを固定する押さえ部材の構成］
本実施例の反射ミラー２０を固定する押さえ部材７０２の構成を図３〜図５を用いて説明する。図３、図４は様々な角度から見た押さえ部材７０２を示す図、図５は押さえ部材７０２が光学箱２０１に取付けられたことにより、反射ミラー２０が光学箱２０１に固定されている様子を示す図である。なお、反射ミラー２０は、図２で説明した反射ミラー２１４、２１７等に該当する。取付部材である押さえ部材７０２は、一枚の金属性の薄板を加工した部品である。押さえ部材７０２は、第一板部７０２ｈと、第一板部７０２ｈに対してそれぞれ折り曲げられた、第三の腕部である第二板部７２７と、第二の腕部である第三板部７３０と、第一の腕部である第四板部７２９と、第五板部７３１と、を有する。第一板部７０２ｈは、面７０２ａ（図３（ｃ）参照）を備えている。
【００４０】
第一板部７０２ｈは、後述する取付部材支持部である突出部６３３（図５参照）に接触し、突出部６３３からの反発力を受ける接触部である。第一板部７０２ｈと第二板部７２７は、Ｕ字屈曲部７０２ｐによって連結されている。Ｕ字屈曲部７０２ｐは、第一板部７０２ｈに対して第二板部７２７を第一板部７０２ｈの一端から第一板部７０２ｈに対して略Ｕ字状に折り返すことによって形成されている。第二板部７２７は、図３（ｂ）に示すように、第一板部７０２ｈをＵ字屈曲部７０２ｐで折り返した部分の一部のみで形成されており、Ｕ字屈曲部７０２ｐで折り返された部分の残りは、カット部７２７ｄでカットされている。なお、カット部７２７ｄは、第四板部７２９と対向する側に設けられている。このように、第一板部７０２ｈをＵ字屈曲部７０２ｐで折り返した部分の一部のみで第二板部７２７を形成し、カット部７２７ｄを設ける理由は、第二板部７２７に弾性を持たせるためである。第二板部７２７は、Ｕ字屈曲部７０２ｐから第一板部７０２ｈの他端側（以下で説明する屈曲部７３１ａ側）に向かって第一板部７０２ｈに平行に延びたあと、屈曲部７２７ａにおいて略直角に曲がり、第一板部７０２ｈから遠ざかる方向に向かって延びている。即ち、第二板部７２７は、第一板部７０２ｈに対して略直角となるように形成されている。
【００４１】
第一板部７０２ｈと第三板部７３０は、第五板部７３１によって連結されている。第五板部７３１は、第一板部７０２ｈと屈曲部７３１ａによって連結されており、第一板部７０２ｈに対して屈曲部７３１ａにおいて第五板部７３１を略直角に折り曲げることによって形成されている。また、第三板部７３０は、第五板部７３１と屈曲部７３１ｂによって連結されており、第五板部７３１に対して屈曲部７３１ｂにおいて第三板部７３０を略直角に折り曲げることによって形成されている。これにより、第一板部７０２ｈ、第五板部７３１、第三板部７３０は、コ字形状を形成している。コ字形状を形成している第一板部７０２ｈ、第五板部７３１、第三板部７３０は、押さえ部材７０２が取付けられる際にＺ軸＋方向からＺ軸−方向に向かって移動した際に、後述する光学箱２０１の突出部６３３を挟み込む形状となっている。また、第三板部７３０は、屈曲部７３１ｂとは反対側の端部近傍に、第一板部７０２ｈ側に凸形状となっている「Ｖ」字型の第二押圧部７１２を有している。第二押圧部７１２は、後述する光学箱２０１の突出部６３３の面３１４（図５（ｂ）参照）を押圧する。
【００４２】
第一板部７０２ｈの面７０２ａは、薄板状の第一板部７０２ｈの一方の面であり、光学箱２０１に設けられた突出部６３３のバネ受け面７３６（図５（ａ）参照）に当接し、押さえ部材７０２の位置の基準となる。第二板部７２７には反射ミラー２０のミラー反射面７０６（図５（ａ）参照）を押圧する第三押圧部７０４が形成されている。第三押圧部７０４は、第二板部７２７の中央部近傍においてＺ軸＋方向からＺ軸−方向に向かって「Ｖ」字型に突出するように凸状に屈曲した部分である。また、第二板部７２７の屈曲部７２７ａとは反対側の端部である先端部７２７ｃは、屈曲部７２７ｂにおいて、Ｚ軸−方向に略直角に折り曲げられることによって形成されている。押さえ部材７０２の、Ｕ字屈曲部７０２ｐで連結された第二板部７２７と第一板部７０２ｈとが、反射ミラー２０と突出部６３３との間に挿入されることにより、第三押圧部７０４は反射ミラー２０のミラー反射面７０６に当接する。ここで、ミラー反射面７０６は、反射ミラー２０に光ビームが入射する面である。これにより、第三押圧部７０４は、反射ミラー２０を、後述する支持部であるミラー支持部６３１の第二の接触部である第一ミラー座面７０７に向けて押圧する（図５参照）。なお、第一ミラー座面７０７は、反射ミラー２０のミラー反射面７０６に平行な第二の面に接触する。また、このとき、押さえ部材７０２の第二板部７２７の先端部７２７ｃは、後述する第二ミラー座面７０９に押圧されている反射ミラー２０の面に平行な面であるミラー平面７１０とは接触はしないが、ミラー平面７１０に対向した状態となっている。これにより、先端部７２７ｃは、反射ミラー２０がＸ軸＋方向に移動してミラー支持部６３１から抜け落ちることを防止している。
【００４３】
第三板部７３０は、第一板部７０２ｈの屈曲部７３１ａ側において、第五板部７３１を経て第一板部７０２ｈから第四板部７２９及び第二板部７２７とは反対側に折り曲げられて形成されている。第三板部７３０には、押さえ部材７０２が光学箱２０１に取付けられたときに、光学箱２０１の突出部６３３の面３１４を押圧する第二押圧部７１２を有している。第二押圧部７１２は、押さえ部材７０２の第三板部７３０の屈曲部７３１ｂとは反対側の端部において、第一板部７０２ｈ側に「Ｖ」字形状に突出するように凸形状に屈曲した部分である。
【００４４】
（第四板部）
第四板部７２９は、第一板部７０２ｈのＵ字屈曲部７０２ｐ側を一部含んで構成されており、第一板部７０２ｈの中央部からＸ軸＋方向に略直角に折り曲げられて形成されている。より詳細には、第四板部７２９は、第一板部７０２ｈのＹ軸−方向側の側部を第三板部７３０とは反対側（Ｘ軸＋側）に屈曲部７２９ａにおいて略直角に折り曲げることによって形成されている。なお、第四板部７２９に弾性を持たせるために、第一板部７０２ｈにスリット７２９ｓが設けられ、スリット７２９ｓのＹ軸−方向側は第四板部７２９を構成している。第四板部７２９は、更に屈曲部７２９ｂにおいて略直角に折り曲げられ、コ字形状を形成している。第四板部７２９の第一板部７０２ｈとは反対側の端部には、反射ミラー２０を押圧する第一押圧部７０５が形成されている。押圧部である第一押圧部７０５は、第四板部７２９の先端部を、第一板部７０２ｈから遠ざかる方向（Ｘ軸＋方向）に折り曲げた「く」字形状の部分である。第一押圧部７０５は、反射ミラー２０の所定の面であるミラー平面７１０に当接する（図５参照）。これにより、第一押圧部７０５は、反射ミラー２０を支持部であるミラー支持部６３１の第一の接触部である第二ミラー座面７０９に対して弾性的に押圧する（図５参照）。即ち、第四板部７２９が突出部６３３側から反射ミラー２０に接触せずに反射ミラー２０をオーバラップし、第一押圧部７０５は、第一板部７０２ｈと非対向であるミラー平面７１０を突出部６３３に向かって押圧する。なお、第二ミラー座面７０９は、反射ミラー２０のミラー平面７１０（第一の面の裏面）に平行な第一の面に接触する。
【００４５】
（穴部）
穴部７１３は、面７０２ａ上に設けられ第一板部７０２ｈの表裏両面を貫通する開口である。穴部７１３を構成していた第一板部７０２ｈの一部分によって、突出部６３３の係合部７０３（筐体側係合部）に係合する係合部７３３（取付部材側係合部）が形成される。このように、第一板部７０２ｈは、取付部材側係合部である係合部７３３が設けられた板部である。光学箱２０１に設けられた係合部７０３と押さえ部材７０２に設けられた係合部７３３が係合することで、押さえ部材７０２のＺ軸方向の位置が決定される。
【００４６】
このように、押さえ部材７０２は、光学箱２０１に設けられた係合部７０３に対して、押さえ部材７０２から形成された係合部７３３を係合するように構成されている。これにより、反射ミラー２０からの反発力により、押さえ部材７０２が光学箱２０１から脱落することなく、その姿勢を保つことが可能となっている。即ち、押さえ部材７０２は、光学箱２０１の係合部７０３と係合部７３３とが係合した第一の状態において、第一押圧部７０５及び第三押圧部７０４が反射ミラー２０を押圧することにより、反射ミラー２０を後述するミラー支持部６３１に付勢させている。なお、図３、図４には押さえ部材７０２の各部の符号を詳細に図示しているが、その他の図面においては見易さのため、押さえ部材７０２の詳細な符号を付すことは省略する。
【００４７】
反射ミラー２０が光学箱２０１に固定されているときには、押さえ部材７０２の第三押圧部７０４が反射ミラー２０から受ける反力によって、押さえ部材７０２には係合部７３３を回転中心としたＹ軸に平行な軸周りの回転モーメントが発生する。そのＹ軸に平行な軸周りの回転を抑制するために、押さえ部材７０２の第二板部７２７の面１５と第二ミラー座面７０９が突き当たる構成となっている（図５（ａ）参照）。押さえ部材７０２の第二板部７２７の面１５（図３（ａ）参照）と第二ミラー座面７０９が突き当たることによって、押さえ部材７０２のＸ軸方向（長手方向に直交する方向）の位置が決定される。
【００４８】
図６は、図５をＺ軸方向上方（＋側）から見た図であり、Ｙ軸方向の第三押圧部７０４、第一押圧部７０５、第二押圧部７１２、及び係合部７０３の位置関係を示している。第三押圧部７０４を除く各部のＹ軸方向の中心を通り、Ｘ軸方向に平行な破線をそれぞれ第一押圧部中心１２ａ、第二押圧部中心１３ａ、係合部中心３１２ａとして示している。本実施例では、Ｙ軸方向＋側に向かって、第一押圧部中心１２ａ、係合部中心３１２ａ、第二押圧部中心１３ａの順に並ぶよう配置されている。即ち、第四板部７２９と第三板部７３０は、反射ミラー２０の長手方向（Ｙ軸方向）において、第四板部７２９と第三板部７３０との間に、係合部７０３（３１２ａ）が位置するように形成される。これにより、押さえ部材７０２は、光学箱２０１の係合部７０３と係合部７３３とが係合していない第二の状態から上述した第一の状態に遷移する過程において、押さえ部材７０２が係合部７０３に当接し、係合部７０３を支点として回動する。なお、本実施例の構成と対応する図９に示す従来の構成には、同じ符号を付している。
【００４９】
［バネ支持体及びミラー支持体の構成］
図５に示すように、光学箱２０１の内部には、押さえ部材７０２を支持するための突出部６３３と、反射ミラー２０を光学箱２０１に精度よく取付けるために反射ミラー２０を支持するミラー支持部６３１とが一体成型されている。突出部６３３は、後述するミラー支持部６３１上に支持された反射ミラー２０との間に間隙を形成する間隙形成部でもある。突出部６３３には、Ｙ軸方向の両側部に、Ｘ軸−方向に突出して凸形状を形成しているリブ部である２つのリブ３１５が設けられている。押さえ部材７０２が取付けられる際、押さえ部材７０２の第三板部７３０は、二つのリブ３１５の間に形成されている凹部面である面３１４に接触しながらＺ軸−方向に移動する。これにより、押さえ部材７０２のＹ軸方向の位置が決定される。このように、突出部６３３の二つのリブ３１５間のＹ軸方向の長さは、押さえ部材７０２の第三板部７３０のＹ軸方向の長さよりも大きくなるように形成されている。また、突出部６３３のバネ受け面７３６は、押さえ部材７０２が光学箱２０１の係合部７０３と係合した際に、押さえ部材７０２の面７０２ａと接触する。
【００５０】
ミラー支持部６３１は、押さえ部材７０２の第三押圧部７０４及び第一押圧部７０５によって押圧された反射ミラー２０が当接する第一ミラー座面７０７と第二ミラー座面７０９と、を有する。押さえ部材７０２の第三押圧部７０４によって押圧される反射ミラー２０の被押圧点に対してミラー反射面７０６の裏面側において第一ミラー座面７０７は裏面側を支持する。なお、図示しないが、反射ミラー２０の長手方向（Ｙ軸方向）の他端側には、同様のミラー支持部が設けられており、図２に示しているように反射ミラー２０を橋渡しで支持する構成となっている。なお、本実施例の構成と対応する図９に示す従来の構成には、同じ符号を付している。
【００５１】
［光学箱への押さえ部材の取付け］
図７は光学箱２０１に押さえ部材７０２を取付ける順序を示したものである。図７（ａ）〜図７（ｄ）では、上にＺ軸方向＋側（上方）から見た取付けの様子を、下にＹ軸方向＋側（側方）に近いところから見た取付けの様子の斜視図を、それぞれ示している。まず、図７（ａ）に示すように、光学箱２０１に設けられたミラー支持部６３１に支持された反射ミラー２０に対し、押さえ部材７０２をＺ軸方向＋側（上方）から図中矢印方向（Ｚ軸−方向）に移動させて取付けを開始する。図７（ｂ）に示すように、ある程度まで押さえ部材７０２をＺ軸方向−側（下方向）へ移動させると、押さえ部材７０２の面７０２ａが光学箱２０１の係合部７０３に当接する。押さえ部材７０２が係合部７０３に当接した状態で押さえ部材７０２をさらにＺ軸方向−側（下方向）へ移動させると、係合部７０３を支点（言い換えれば回転中心）として、押さえ部材７０２が図中矢印方向に回転する。即ち、押さえ部材７０２は、係合部７０３を通りＺ軸に平行な軸を中心として、時計回り方向に回転する。
【００５２】
図７（ｃ）に示すように、更に、押さえ部材７０２をＺ軸方向の下方に移動させると、押さえ部材７０２の面１５が第二ミラー座面７０９の突出部６３３に対向する面と当接し、押さえ部材７０２のＸ軸方向の位置が決定する。言い換えれば、突出部６３３とミラー支持部６３１の間に形成されている間隙に、押さえ部材７０２のＵ字屈曲部７０２ｐが侵入し、Ｘ軸方向の位置が決定する。
【００５３】
図７（ｄ）に示すように、更に押さえ部材７０２をＺ軸方向の下方に移動させると、押さえ部材７０２の面７０２ａが光学箱２０１の係合部７０３を乗り越え、面７０２ａに設けられた穴部７１３から係合部７０３が突出する。これにより、押さえ部材７０２の係合部７３３に光学箱２０１の係合部７０３が係合する。押さえ部材７０２の係合部７３３に光学箱２０１の係合部７０３が係合したことに伴い、押さえ部材７０２の第二押圧部７１２で発生する押圧力の反力によって、面７０２ａが光学箱２０１のバネ受け面７３６に押圧される。これにより、押さえ部材７０２の光学箱２０１への取付けが完了する。
【００５４】
［押さえ部材が回転する仕組み］
図７（ｅ）、図７（ｄ）は、図７（ａ）〜図７（ｄ）で示した押さえ部材７０２の取付け時の動きを説明するための図である。図７（ｅ）は図７（ａ）と同一の状態を、図７（ｆ）は図７（ｃ）と同一の状態を、それぞれ示す上面図である。図７（ｅ）、図７（ｆ）には簡易化のために支点Ａと梁Ｂを図示している。第一押圧部７０５、係合部７０３、第二押圧部７１２のＹ軸方向の位置関係は図６で示した通りである。図７（ｅ）、図７（ｆ）の破線はそれぞれ第一押圧部中心１２ａ、係合部中心３１２ａ、第二押圧部中心１３ａを示している。支点Ａは係合部中心３１２ａ上にある。また、梁Ｂは、面７０２ａ上で、且つ、梁Ｂの一端は第一押圧部中心１２ａ上、他端は第二押圧部中心１３ａ上に位置する。
【００５５】
図７（ｃ）に示すように、押さえ部材７０２を光学箱２０１に取付けていくと、第二押圧部７１２が光学箱２０１と接触を始め、図７（ｆ）に示すように光学箱２０１を押圧する力（以下、押圧力という）Ｃが発生する。即ち、押圧力Ｃは、押さえ部材７０２（第二押圧部７１２）が光学箱２０１（突出部６３３の面３１４）を押す力である。その結果、作用・反作用の関係から、梁Ｂは押圧力Ｃと同等の力（以下、反力という）Ｄを受ける。即ち、反力Ｄは、押さえ部材７０２（面７０２ａ、具体的には梁Ｂ）が光学箱２０１（突出部６３３のバネ受け面７３６）から受ける力であり、押圧力Ｃとの関係は、大きさが同じで向きが逆向きの力である。ここで、梁Ｂと係合部７０３とは接しているため、反力Ｄが力点となり、梁Ｂは係合部７０３を支点として時計周り方向に回動する。その結果、作用点となる梁Ｂの他端（図中Ｅ）は、係合部７０３を中心として時計周り方向に回動する。本実施例では、このような支点、力点、作用点の関係から、押さえ部材７０２を光学箱２０１に取付ける際に、押さえ部材７０２（即ち、第一押圧部７０５）が回動する構成となっている。
【００５６】
［押さえ部材取付け時の第二押圧部と反射ミラーの位置関係］
図８は、図７（ｂ）と図７（ｄ）に示した押さえ部材７０２の様子を重ねて示したものであり、図８（ａ）はＺ軸方向＋側から見た様子を示し、図８（ｂ）は、図８（ａ）のＦ−Ｆにおける断面をＹ軸方向＋側から見た様子を示している。前述したような押さえ部材７０２の回転によって、図８（ａ）に示すように、支点Ａ（図７参照）を中心として、押さえ部材７０２、即ち第四板部７２９が時計回り方向に回動する。そして、第四板部７２９が回動したことにより、第一押圧部７０５も回動する。図８（ｂ）に示すように、押さえ部材７０２の第一押圧部７０５のＸ軸方向の位置は、押さえ部材７０２の回動に応じてΔＸだけ反射ミラー２０から離れる方向に移動する。即ち、押さえ部材７０２を回転させることで、押さえ部材７０２の第一押圧部７０５は、反射ミラー２０のミラーエッジ部７０８からΔＸだけ離れることとなる。これにより、押さえ部材７０２を光学箱２０１に取付けている過程において、押さえ部材７０２の第一押圧部７０５と反射ミラー２０のミラーエッジ部７０８が接触することはない。
【００５７】
以上説明したように、本実施例では、押さえ部材７０２の第一押圧部７０５、第二押圧部７１２、光学箱２０１の係合部７０３の位置関係を上述した構成としている。これにより、本実施例では、押さえ部材７０２を光学箱２０１に取付けている過程においても、押さえ部材７０２によって反射ミラー２０のミラーエッジ部７０８に微細な欠けが発生しない構成を実現している。なお、本実施例では、押さえ部材７０２を、反射ミラー２０を押圧する押さえ部材としているが、例えばレンズ、ガラスなどを押圧する部材にも適用することができ、押さえ部材によって押圧される被押圧物は、反射ミラーに限定されるものではない。
【００５８】
以上、本実施例によれば、取付部材の取付けを開始してから所定の位置に取付けられた状態となるまでの過程において、光学部材の欠けや割れの発生を低減させることができる。
【符号の説明】
【００５９】
２０      反射ミラー
２０１    光学箱
７０２    押さえ部材
７０３    係合部
７０５    第一押圧部
７３３    係合部
【図１】
2015187628.tif 000003
【図２】
2015187628.tif 000004
【図３】
2015187628.tif 000005
【図４】
2015187628.tif 000006
【図５】
2015187628.tif 000007
【図６】
2015187628.tif 000008
【図７】
2015187628.tif 000009
【図８】
2015187628.tif 000010
【図９】
2015187628.tif 000011